(57)【特許請求の範囲】
【請求項１】
鉛直方向に延びる有底筒状に形成される透明な大径計測筒（１）と、この大径計測筒（１）よりも小径の有底筒状に形成されて該大径計測筒（１）の上端開口部に上部が着脱可能に嵌装される透明な小径計測筒（２）と、雨水を受けて小径計測筒（２）の大径計測筒（１）への嵌装状態では小径計測筒（２）に、非嵌装状態では大径計測筒（１）にそれぞれ雨水を導く雨受け手段（Ｉ）とを備え、小径計測筒（２）の周壁には、その小径計測筒（２）内の水面より降雨量を読み取らせるための内側雨量目盛（Ｌｉ）が、また大径計測筒（１）の周壁には、その大径計測筒（１）内の水面より降雨量を読み取らせるための外側雨量目盛（Ｌｏ）がそれぞれ設けられ、小径計測筒（２）の上部には、その小径計測筒（２）の貯溜水を大径計測筒（１）内にオーバフローさせる連通孔（２ｈ）が設けられてなる雨量計において、
小径計測筒（２）は、それの大径計測筒（１）への嵌装状態で大径計測筒（１）の底壁上面に小径計測筒（２）の底壁下面が当接するように下方に長く形成され、
大径計測筒（１）の内周面には、その大径計測筒（１）内の水面を浮游して該水面を表示するための第１フロート（Ｆ１）が、また小径計測筒（２）の内周面には、その小径計測筒（２）内の水面を浮游して該水面を表示するための第２フロート（Ｆ２）がそれぞれ上下摺動可能に嵌合され、
第１フロート（Ｆ１）の中心部には、小径計測筒（２）を弛く貫通させる円孔が形成されることを特徴とする雨量計。
【請求項２】
前記外側雨量目盛（Ｌｏ）が前記非嵌装状態で正規の降雨量を表示するよう設定されることを特徴とする、請求項１に記載の雨量計。
【発明の詳細な説明】
【技術分野】
【０００１】
本発明は、雨量計、特に鉛直方向に延びる有底筒状に形成される透明な大径計測筒と、この大径計測筒よりも小径の有底筒状に形成されて該大径計測筒内に着脱可能に嵌装される透明な小径計測筒と、雨水を受けて小径計測筒の大径計測筒への嵌装状態では小径計測筒に、非嵌装状態では大径計測筒にそれぞれ雨水を導く雨受け手段とを備え、小径計測筒の周壁には、その小径計測筒内の水面より降雨量を読み取らせるための内側雨量目盛が、また大径計測筒の周壁には、その大径計測筒内の水面より降雨量を読み取らせるための外側雨量目盛がそれぞれ設けられ、小径計測筒の上部には、その小径計測筒の貯溜水を大径計測筒内にオーバフローさせる連通孔が設けられてなる雨量計に関する。
【背景技術】
【０００２】
上記雨量計は、下記特許文献１に示されるように従来公知である。
【０００３】
そして、この従来公知のものでは、降雨時に雨水は先ず小径計測筒内に貯溜され、その貯溜量（降雨量）が所定値以上になると小径計測筒内よりオーバフローして大径計測筒内に貯溜されるように構成され、即ち、降り始めから降雨量が所定値を超えるまでの間は、小径計測筒周壁の、目盛間隔が大きい内側雨量目盛に基づいて該小径計測筒内の水面より降り始めの降雨量を精度よく読み取らせ、降雨量が所定値を超え上記オーバフローが始まってからは、大径計測筒周壁の、目盛間隔が小さい外側雨量目盛に基づいて該大径計測筒内の水面より降雨量を大まかに読み取らせるようになっている。また大径計測筒の外側雨量目盛は、大径計測筒内に小径計測筒を嵌装した状態で正規の降雨量を表示するよう設定されていた。
【特許文献１】特開平７−２２９９７４号公報
【発明の開示】
【発明が解決しようとする課題】
【０００４】
上記従来公知の雨量計では、小径計測筒が大径計測筒内に嵌装されて二重管構造となっているため、たとえ大径計測筒自体が透明であっても、その内側の小径計測筒の貯留水面が見づらく、判りにくい問題があった。
【０００５】
また上記従来公知の雨量計では、大径計測筒の外側雨量目盛が、大径計測筒内に小径計測筒を嵌装した状態で正規の降雨量を表示する設定であるため、大径計測筒内に小径計測筒を必ず嵌装させ且つその小径計測筒内が満水状態でなければ大径計測筒での雨量測定を行えず、またその嵌装状態では大径計測筒を通して小径計測筒が透けて見えてしまうため、大径計測筒内の水面も見づらい問題があった。
【０００６】
本発明は斯かる実情に鑑みてなされたもので、従来装置の上記問題を解決できるようにした構造簡単な雨量計を提供することを目的とする。
【課題を解決するための手段】
【０００７】
上記目的を達成するために請求項１の発明は、鉛直方向に延びる有底筒状に形成される透明な大径計測筒と、この大径計測筒よりも小径の有底筒状に形成されて該大径計測筒の上端開口部に上部が着脱可能に嵌装される透明な小径計測筒と、雨水を受けて小径計測筒の大径計測筒への嵌装状態では小径計測筒に、非嵌装状態では大径計測筒にそれぞれ雨水を導く雨受け手段とを備え、小径計測筒の周壁には、その小径計測筒内の水面より降雨量を読み取らせるための内側雨量目盛が、また大径計測筒の周壁には、その大径計測筒内の水面より降雨量を読み取らせるための外側雨量目盛がそれぞれ設けられ、小径計測筒の上部には、その小径計測筒の貯溜水を大径計測筒内にオーバフローさせる連通孔が設けられてなる雨量計において、小径計測筒は、それの大径計測筒への嵌装状態で大径計測筒の底壁上面に小径計測筒の底壁下面が当接するように下方に長く形成され、大径計測筒の内周面には、その大径計測筒内の水面を浮游して該水面を表示するための第１フロートが、また小径計測筒の内周面には、その小径計測筒内の水面を浮游して該水面を表示するための第２フロートがそれぞれ上下摺動可能に嵌合され、第１フロートの中心部には、小径計測筒を弛く貫通させる円孔が形成されることを特徴とする。
【０００８】
また請求項２の発明は、請求項１の特徴に加えて、前記外側雨量目盛が前記非嵌装状態で正規の降雨量を表示するよう設定されることを特徴とする。
【発明の効果】
【０００９】
以上のように本発明によれば、小径計測筒は、それの大径計測筒への嵌装状態で大径計測筒の底壁上面に小径計測筒の底壁下面が当接するように下方に長く形成され、大径計測筒の内周面には、その大径計測筒内の水面を浮游して該水面を表示するための第１フロートが、また小径計測筒の内周面には、その小径計測筒内の水面を浮游して該水面を表示するための第２フロートがそれぞれ上下摺動可能に嵌合され、第１フロートの中心部には、小径計測筒を弛く貫通させる円孔が形成されるので、小径計測筒が大径計測筒内に嵌装されていても、また小径計測筒内の水面が大径計測筒内の水面下に没していても、大径計測筒内側の小径計測筒の貯留水面の視認性が第２フロートにより大幅に向上し、その小径計測筒による雨量測定を容易に且つ的確に行うことができる。
【００１０】
また特に請求項２の発明によれば、前記外側雨量目盛が小径計測筒の非嵌装状態で正規の降雨量を表示するので、大径計測筒の単独使用が可能となり、その場合には、大径計測筒を通して小径計測筒が透けて見えることもないので、大径計測筒による雨量測定を容易に行うことができる。また特に大径計測筒内に小径計測筒を嵌装した使用状態では、この小径計測筒の、比較的目盛り間隔が大きい内側雨量目盛により、少雨時でも雨量測定を精度よく的確に行うことができ、このとき、小径計測筒の水面付近が大径計測筒内の水面下に在っても前記フロートにより小径計測筒の水面の視認性が頗る良好であるため、その小径計測筒による雨量測定が容易であり、また、小径計測筒が一杯になって水が大径計測筒側へオーバフローすれば、その小径計測筒内の水を大径計測筒内に全部移して小径計測筒を空にした状態で大径計測筒内に再度嵌装（リセット）することにより、その時点からの雨量測定を小径計測筒で精度よく行うことができる。
【発明を実施するための最良の形態】
【００１１】
本発明の実施の形態を、添付図面に例示した本発明の実施例に基づいて以下に具体的に説明する。
【００１２】
添付図面において、図面は本発明の一実施例を示すものであって、図１は、雨量計を支持壁の水平外端面に対しその上側を跨ぐように取付けた状態（第１の取付態様）を示す斜視図、図２は図１の２矢視図、図３は、図２の３−３線拡大断面図、図４は図３の４−４線断面図、図５は、クランプ手段を示す分解斜視図、図６は、ホルダ部を示す拡大平面図、図７は、雨量計を支持壁の鉛直外端面に対しその外側方を跨ぐように取付けた状態（第２の取付態様）を示す斜視図、図８は図７の８矢視図、図９は、図８の９−９線拡大断面図である。
【００１３】
雨量計Ｕは、支持壁、例えばベランダの壁体Ｓ，Ｓ′に取付バーＢを介して取付けられる。その取付バーＢは、雨量計Ｕを着脱可能に保持するホルダ部１０を先部に有して水平に配置され、その取付バーＢの基部が前記壁Ｓに対しクランプ手段Ｃにより着脱可能にクランプされ、これにより、雨量計Ｕは、取付バーＢを介して壁体Ｓ，Ｓ′に片持ち状にオーバハングして取付けられる。
【００１４】
以下に、雨量計Ｕの構造、並びにその雨量計Ｕの壁体Ｓ，Ｓ′への取付構造を順次説明する。
【００１５】
雨量計Ｕは、透明なガラス、プラスチック等の材料で形成されて鉛直方向に延びる有底円筒状の大径計測筒１と、同じく透明なガラス、プラスチック等の材料で大径計測筒１よりも小径の有底円筒状に形成されて該大径計測筒１の上端開口部に上部が同心状に嵌装される小径計測筒２と、雨水を受けて小径計測筒２の大径計測筒１への嵌装状態では小径計測筒２に、非嵌装状態では大径計測筒１にそれぞれ雨水を導く雨受け手段Ｉとを備える。そして、小径計測筒２は、それの大径計測筒１への嵌装状態（図２参照）で、大径計測筒１の底壁上面に小径計測筒２の底壁下面が当接するように下方に長く形成される。
【００１６】
前記雨受け手段Ｉは、図示例では、大径計測筒１の上端部に一体に連設されてその大径計測筒本体よりも小径の円筒状をなす第１入口筒１ｕと、小径計測筒２の上端部に一体に連設されてその小径計測筒２よりも大径の円筒状をなす第２入口筒２ｕとから構成される。その第２入口筒２ｕは、第１入口筒１ｕの内周に抜差可能に圧入、嵌合される下側の小径筒部２ｕａと、第１入口筒１ｕの上側に隣接する上側の大径筒部２ｕｂとが中間段部２ｕｍを介して一体化された段付き円筒状に形成されており、その中間段部２ｕｍが第１入口筒１ｕの上端に係合する。小径計測筒２の上端部は、前記小径筒部２ｕａを第１入口筒１ｕに圧入、嵌合した状態で、大径計測筒１の開放上面を塞いでいて、大径計測筒１内に上方から雨水が入らないようになっている。
【００１７】
尚、図示例のような雨受け手段Ｉに代えて、大、小径計測筒１，２とは別体の雨受け手段、例えば漏斗状部材（図示せず）を用意し、その漏斗状部材中央の下向き小径筒部を大、小径計測筒１，２の開放上端部（第１，第２入口筒１ｕ，２ｕ）に選択的に嵌挿するようにして、その漏斗状部材により、小径計測筒２の大径計測筒１への嵌装状態では小径計測筒２に、非嵌装状態では大径計測筒１にそれぞれ雨水を導くようにしてもよい。
【００１８】
また小径計測筒２の周壁には、その小径計測筒２内の水面より降雨量を読み取らせるための内側雨量目盛Ｌｉが、また大径計測筒１の周壁には、その大径計測筒１内の水面より降雨量を読み取らせるための外側雨量目盛Ｌｏがそれぞれ設けられており、その外側雨量目盛Ｌｏは、小径計測筒２を大径計測筒１内より抜き出した前記非嵌装状態で正規の降雨量を表示するように設定され、従って大径計測筒１の単独使用も可能である。
【００１９】
さらに小径計測筒２の周壁上部には、その小径計測筒２内が一杯になったときに、その貯溜水を大径計測筒１内にオーバフローさせる連通孔２ｈが設けられる。
【００２０】
また大、小径計測筒１，２内には、それら計測筒１，２内の水面に浮遊して該水面を各々表示するための第１，第２フロートＦ１，Ｆ２が昇降可能に収容され、各計測筒１，２内の水面の視認性を高めている。即ち、第１フロートＦ１は大径計測筒１の内周面に、また第２フロートＦ２は小径計測筒２の内周面にそれぞれ上下摺動可能に嵌合している。
【００２１】
各フロートＦ１，Ｆ２の構成材としては、少なくとも水に浮遊する比重の素材であればよく、図示例では発泡性合成樹脂材で形成され、また第１フロートＦ１には、小径計測筒２を弛く貫通させるべく中心部に円孔が形成される。
【００２２】
次に前記壁体Ｓ，Ｓ′に対する、取付バーＢによる雨量計Ｕの取付構造を説明する。
【００２３】
前記取付バーＢは、雨量計Ｕに対するホルダ部１０を先端に有して水平に延びる比較的長い第１直線部１１と、この第１直線部１１の基端に中間屈曲部１３を介して連設されて水平に延びる比較的短い第２直線部１２とを備えてクランク状に形成され、図示例では錆びにくい金属材料、例えばステンレス棒より構成される。
【００２４】
その取付バーＢの基部、即ち第２直線部１２を壁体Ｓ，Ｓ′にクランプするためのクランプ手段Ｃは、前記第２直線部１２に摺動及び回動可能に各々嵌合されて前記壁体Ｓ，Ｓ′を相互間に挟持可能な前記中間屈曲部１３寄りの第１挟み腕２１及びその反対側の第２挟み腕２２と、前記第２直線部１２に螺合されて両挟み腕２１，２２を前記中間屈曲部１３側に押し付けることで壁体Ｓ，Ｓ′に対する挟持力を両挟み腕２１，２２に付与し得るナット部材としての蝶ナットＮとを備える。
【００２５】
第１，第２挟み腕２１，２２は、図示例ではコスト節減のために同一構造のものが使用されており、以下に第１挟み腕２１の構造だけを説明する。即ち、第１挟み腕２１は、錆びにくい金属材料、例えばステンレス製の板材をプレス加工して形成されるものであって、第２直線部１２に摺動及び回動可能に嵌合する筒状部３０と、この筒状部３０の下部に一体に垂設されてその径方向外方（下方）に延びる腕部３１とを有する。
【００２６】
第１挟み腕２１には、蝶ナットＮの締込みによる第１挟み腕２１の前記中間屈曲部１３への圧着時にその中間屈曲部１３と係合して第１挟み腕２１を取付バーＢに対し第１相対回動位置に固定する第１被係合部３０１と、前記圧着時にその中間屈曲部１３と係合して該第１挟み腕２１を取付バーＢに対し前記第１の相対回動位置から左右に所定角度（図示例では９０°）変位した第２相対回動位置に固定する一対の第２被係合部３０２とが設けられる。
【００２７】
その第１被係合部３０１は、図示例では前記筒状部３０の一端面にその周方向に間隔をおいて形成されて前記中間屈曲部１３に係合可能な第１切欠き状凹部で構成され、またその第２被係合部３０２，３０２は、筒状部３０の周方向で第１被係合部３０１の両側にそれぞれ隣接するものであって、第１被係合部３０１を挟んで左右に９０度ずつずれた位置に隣接する一対の切欠き状凹部よりそれぞれ構成される。
【００２８】
前記腕部３１には、第２直線部１２と直交して壁体Ｓ，Ｓ′の鉛直な両側面に当接可能な平坦な第１当接面ｆ１を有する押圧部３１ａが一体に設けられ、また前記筒状部３０には、前記第１当接面ｆ１と直交して壁体Ｓ，Ｓ′の水平外端面Ｓａ又は鉛直外端面Ｓａ′に当接可能な第２当接面ｆ２を有する回り止め部３０ａが一体に設けられる。
【００２９】
また取付バーＢの先部に設けられて雨量計Ｕを保持するホルダ部１０は、図６に示すように雨量計Ｕ（図示例では大径計測筒１の上端部）の外周面に形成した環状溝状をなす環状くびれ部１ｇに嵌合して該雨量計Ｕを保持し得るよう形成された第１円弧部１０１と、この第１円弧部１０１の先端側、即ち自由端側に連なり該第１円弧部１０１の基端部１０１ｅと協働して大径計測筒１（従って雨量計Ｕ）を保持し得るよう前記環状くびれ部１１ｇに嵌合可能な、第１円弧部１０１より短い第２円弧部１０２とより、概ねＣ字状に形成される。第１円弧部１０１の中心角は、該第１円弧部１０１で雨量計Ｕを安定よく保持でき且つ該第１円弧部１０１に対する雨量計Ｕの脱着が無理なく容易に行えるように、１８０度よりやや大きな角度に設定される。
【００３０】
次に前記実施例の作用について説明する。雨量計Ｕを壁体Ｓ，Ｓ′に取付ける場合には、先ず、第１，第２挟み腕２１，２２を、その相互間に壁体Ｓ，Ｓ′を挟むように配置し、その状態で蝶ナットＮを締付けることにより、第１，第２挟み腕２１，２２間に壁体Ｓ，Ｓ′を強固に挟圧して取付バーＢを壁体Ｓ，Ｓ′に固定する。
【００３１】
このナットＮの締付けにより第１挟み腕２１が取付バーＢの中間屈曲部１３側へ圧着されるが、その際に図１〜図４に示すように第１挟み腕２１の第１被係合部３０１を中間屈曲部１３に係合させるようにすれば、第１挟み腕２１を取付バーＢに対し第１相対回動位置に固定する第１の取付態様が得られて、取付バーＢが、水平外端面Ｓａを有する壁体Ｓにその水平外端面Ｓａを上側から跨ぐ形で取付けられる。
【００３２】
また、図７〜図９に示すように第１挟み腕２１の何れかの第２被係合部３０２を中間屈曲部１３に係合させるようにすれば、第１挟み腕２１を取付バーＢに対し第２相対回動位置に固定する第２の取付態様が得られて、取付バーＢが、鉛直外端面Ｓａ′を有する壁体Ｓ′にその鉛直外端面Ｓａ′を外側方から跨ぐ形で取付けられる。
【００３３】
このように蝶ナットＮの締込みにより両挟み腕２１，２２間に壁体Ｓ，Ｓ′を挟圧することで取付バーＢをクランプするに当たり、第１挟み腕２１を取付バーＢに対し第１相対回動位置に固定する第１の取付態様と、同挟み腕２１を第２相対回動位置に固定する第２の取付態様とを任意に選択できるため、その選択に応じて取付バーＢが壁体Ｓの水平外端面Ｓａを上方から跨ぐ形の取付態様や、壁体Ｓ′の鉛直外端面Ｓａ′をその外側方から跨ぐ形の取付態様に各々的確に対応可能となる。その結果、それら取付態様に合わせて専用の取付構造を別々に用意する必要はなくなり、また引っ越し等で雨量計の取付位置が変更になる場合でも容易に低コストで対応可能となる。しかもクランク状をなす取付バーＢの中間屈曲部１３が、第１挟み腕２１の取付バーＢに対する回動規制手段に利用されてクランプ手段Ｃの一部を兼用するため、取付構造の更なる構造簡素化が図られる。
【００３４】
また各挟み腕２１，２２の腕部３０には、第２直線部１２と直交して壁体Ｓ，Ｓ′の両側面に当接可能な第１当接面ｆ１を有する押圧部３１ａが一体化され、筒状部３０には、第１当接面ｆ１と直交して壁体Ｓ，Ｓ′の水平外端面Ｓａ又は鉛直外端面Ｓａ′に当接可能な第２当接面ｆ２を有する回り止め部３０ａが一体化されるので、両挟み腕２１，２２により壁体Ｓを挟むときに、回り止め部３０ａにより壁体Ｓに対し両挟み腕２１，２２を簡単に回り止めすることができ、クランプ作業を一層容易に行うことができる。
【００３５】
ところで、雨量計Ｕを着脱可能に保持するホルダ部１０は、大径計測筒１の上部外周面に形成した環状くびれ部１ｇに嵌合して大径計測筒１を保持し得るよう形成された第１円弧部１０１と、この第１円弧部１０１の先端側に連なり該第１円弧部１０１の基端部１０１ｅと協働して雨量計Ｕを保持し得るよう環状溝１ｇに嵌合可能な短い第２円弧部１０２とより構成されるので、上記環状くびれ部１ｇを第１円弧部１０１で嵌合、保持している雨量計Ｕの正規の取付状態で、外力等に因り雨量計Ｕが水平方向（即ち概ねＣ字状をなすホルダ部１０の開放側）にずれ動いて第１円弧部１０１から万一、外れ掛かった場合でも、第２円弧部１０２により雨量計Ｕを一時的に保持でき、従って、雨量計Ｕの脱落防止に効果的である。また各円弧部１０１，１０２は、図６に鎖線で示すように径方向外方（即ち拡開方向）に多少の弾性変形が可能であり、その弾性変形により雨量計Ｕの脱着操作を無理なく容易に行えるようになっている。
【００３６】
而して、雨量計Ｕは、長い取付バーＢを介して建物のベランダ、フェンス等の壁体Ｓ，Ｓ′に外方に向かって長くオーバハングして片持ち状に取付けられるので、建物に影響されずに雨量計Ｕの雨受け手段Ｉに雨水を的確に集めることができる。
【００３７】
また雨量計Ｕは、その大径計測筒１内への小径計測筒２の嵌装状態（即ち両計測筒１，２の併用状態）では、雨受け手段Ｉを経て取り込んだ雨水が全部、小径計測筒２内に溜まって、その小径計測筒２周壁の比較的目盛り間隔が大きい内側雨量目盛Ｌｉで降雨量の強さを精度よく測定可能である。一方、大径計測筒１内への小径計測筒２の非嵌装状態（即ち大径計測筒１の単独使用状態）では、雨受け手段Ｉを経て取り込んだ雨水が全部、大径計測筒１内に溜まって、その大径計測筒１周壁の外側雨量目盛Ｌｏで、降り始めからの降雨量を多雨時にも支障なく測定可能である。
【００３８】
そして、大、小径計測筒１，２内には、それら計測筒１，２内の水面にそれぞれ浮遊して該水面を表示するフロートＦ１，Ｆ２が昇降可能に収容されるので、その両水面の視認性が良好であり、特に小径計測筒２は大径計測筒１内に嵌装状態に在っても、その小径計測筒２の内の水面がフロートＦ２で明確に示され、その視認性が損なわれる虞れはない。一方、大径計測筒１の上記単独使用状態では、その内部に小径計測筒２が嵌装されず、小径計測筒２が透けて見えることはないため、フロートＦ１の使用効果とも相俟って、大径計測筒１内の水面確認が頗る容易であり、大径計測筒１による雨量測定を的確に行うことができる。
【００３９】
また前記嵌装状態で小径計測筒２内が一杯になると、水が大径計測筒１側へオーバフローして大径計測筒１内に溜まるようになるが、その場合には、小径計測筒２内の水を大径計測筒１内に全部移して小径計測筒２を空にした状態で大径計測筒１内に再嵌装（リセット）すれば、その再嵌装時点からの雨量測定を小径計測筒２で精度よく行うことができる。この場合、小径計測筒２の水面が大径計測筒１内の水面下に没していても、内側のフロートＦ２により小径計測筒２の水面の視認性が頗る良好であるため、その小径計測筒２による雨量測定を的確に行うことができる。
【００４０】
而して大径計測筒１における外側雨量目盛Ｌｏは、小径計測筒２の非嵌装状態で正規の降雨量を表示するので、降雨中に小径計測筒２を一時併用した場合でも、その小径計測筒２を大径計測筒１内より引き出して、その中の水を大径計測筒１内に全部移し替えることで、降り始めからの総雨量を大径計測筒１により支障なく容易に測定可能である。
【００４１】
また図示例では、小径計測筒２の大径計測筒１内への嵌装状態では小径計測筒２の上端部が大径計測筒１の上端部に嵌着されて該大径計測筒１の開放上面を塞ぐことができるので、小径計測筒２の上端部が大径計測筒１への固定手段と、大径計測筒１の開放上面閉塞手段とを兼ねることとなり、構造簡素化が図られる。
【００４２】
以上、本発明の実施例について説明したが、本発明はそれら実施例に限定されることなく、本発明の範囲内で種々の実施例が可能である。
【００４３】
また前記実施例では、大径計測筒１における外側雨量目盛Ｌｏは、小径計測筒２の非嵌装状態で正規の降雨量を表示するように設定したが、本発明（特に請求項１）では、従来技術のように小径計測筒２の嵌装状態で正規の降雨量を表示するようにしてもよい。
【図面の簡単な説明】
【００４４】
【図１】本発明の一実施例に係る雨量計を支持壁の水平外端面に対しその上側を跨ぐように取付けた状態（第１の取付態様）を示す斜視図
【図２】図１の２矢視図
【図３】図２の３−３線拡大断面図
【図４】図３の４−４線断面図
【図５】クランプ手段を示す分解斜視図
【図６】ホルダ部を示す拡大平面図
【図７】雨量計を支持壁の鉛直外端面に対しその外側方を跨ぐように取付けた状態（第２の取付態様）を示す斜視図
【図８】図７の８矢視図
【図９】図８の９−９線拡大断面図
【符号の説明】
【００４５】
Ｆ１，Ｆ２・・フロート
Ｉ・・・・雨受け手段
Ｌｉ・・・内側雨量目盛
Ｌｏ・・・外側雨量目盛
Ｕ・・・・雨量計
１・・・・大径計測筒
２・・・・小径計測筒
２ｈ・・・連通孔
【図１】
0005100319.tif 000002
【図２】
0005100319.tif 000003
【図３】
0005100319.tif 000004
【図４】
0005100319.tif 000005
【図５】
0005100319.tif 000006
【図６】
0005100319.tif 000007
【図７】
0005100319.tif 000008
【図８】
0005100319.tif 000009
【図９】
0005100319.tif 000010